(57)【要約】本発明は、特には、容器から製品を押し出す駆動機構を設けることに関する。手動操作に伴う労力の量を削減するため、高いギア比の伝動装置を介して被動歯車と噛み合うギアホイール２３が設けられ、被動ギア２５にはカム２７が連結され、カムの周りにはカムフォロワ３２が配置される。カムフォロワは、容器１０と係合すべく移動して、そこから製品を排出するように設けられるプランジャを備える。
2005533977.tif 000002
【特許請求の範囲】
【請求項１】
駆動機構であって、回転部材が第１ギアホイールを担持し、被動ギアホイールが第１ギアホイールと噛み合い、第１ギアホイールと被動ギアホイールとが高いギア比を有し、それによって、被動ギアホイールが第１ギアホイールよりもゆっくりと回転し、カムが被動ギアホイールと共に回転するように取付けられ、カムフォロワが、カムと係合し、かつカムの回転によって往復運動可能であり、カムフォロワが製品の容器と係合して容器から製品を押し出すために共に運動可能なプランジャを備えることを特徴とする、駆動機構。
【請求項２】
第１ギアホイールが、手動操作される取手によって回転可能であることを特徴とする、請求項１に記載の駆動機構。
【請求項３】
バネ手段がカムフォロワをカムと係合するように付勢するために設けられ、カムが１方向におけるプランジャの操作運動の間はバネ手段のバイアスを克服するように機能し、バネ手段がプランジャの復帰運動の間はカムフォロワを反対方向に付勢することを特徴とする、請求項１または２に記載の駆動機構。
【請求項４】
カムが、カムの回転軸からの間隔を周方向において徐々に増大させる少なくとも１つのカム面を包含することを特徴とする、請求項１、２または３に記載の駆動機構。
【請求項５】
カム軸の周りに対称的に準備される２つのカム面が設けられ、回転軸に最も近く位置するカム面上の２つのカム位置と、回転軸から最も遠く位置する２つのカム位置とが存在する。最も近いカム位置および最も遠いカム位置が、互いに隣接して位置し、遠いカム位置のうちの最も近いものが、復帰プランジャ位置および作動プランジャ位置のそれぞれに対応することを特徴とする、先行する請求項の何れか１つに記載の駆動機構。
【請求項６】
付随するギアホイールの軸の周りで実質的に３６０°にわたって延在する１つのカム面が存在することを特徴とする、請求項１から４の何れか１つに記載の駆動機構。
【請求項７】
カムフォロワが、外側方向に向いたカム面と係合するローラを包含することを特徴とする、先行する請求項の何れか１つに記載の駆動機構。
【請求項８】
容器が排出方向におけるプランジャの運動と位置合わせして当該機構の下において選択的に配置可能であり、それによって、その機能的な運動においてプランジャと係合されることになり、容器が、排出の後、排出しない取換え位置に移動可能であることを特徴とする、先行する請求項の何れか１つに記載の駆動機構。
【請求項９】
排出位置と取換え位置の間における容器の運動が摺動運動であり、容器が、容器を受入れるべく成形されるフレーム上に支持されることを特徴とする、先行する請求項の何れか１つに記載の駆動機構。
【請求項１０】
容器が、その出口を介して製品が排出される容器のものより断面が小さい出口を包含し、容器が、容器の容積を減少させて、製品が前記出口を介して押し出されるべく、プランジャによって係合され、変形され、或いは移動されるように準備される部分を有することを特徴とする、先行する請求項の何れか１つに記載の駆動機構。
【請求項１１】
被動ギアホイールとカムの間に配置されるクラッチ手段を包含し、それによって、カムを駆動するためにギアホイールに必要な駆動力が所定の量を超過するとき、クラッチが駆動装置から離脱するように操作されることを特徴とする、先行する請求項の何れか１つに記載の駆動機構。
【請求項１２】
クラッチ機構が、歯の側面が傾斜した相互噛み合い歯を包含し、被動ギアホイールとカムが相対的に軸方向に運動可能であり、それによって、歯車の歯が互いの上に乗り上げるとき、カムに対する駆動が停止されることを特徴とする、請求項１１に記載の駆動機構。
【請求項１３】
容器の半固体内容物を排出する容器排出機構であって、回転部材が第１ギアホイールを担持し、被動ギアホイールが第１ギアホイールと噛み合い、第１ギアホイールおよび被動ギアホイールが高いギア比を有し、それによって、被動ギアホイールが第１ギアホイールよりもゆっくりと回転し、カムが被動ギアホイールと共に回転するように取付けられ、カムフォロワが、カムと係合し、かつカムの回転によって往復運動可能であり、プランジャが、製品の容器と係合して容器の出口から製品を押し出すべくカムフォロワと共に運動可能であるように設けられることを特徴とする、容器排出機構。
【請求項１４】
容器が、その内側容積を減少させるべく容器に対して運動可能である部分を有し、プランジャの作動によって、製品がそこから容器の出口を介して排出されることを特徴とする、請求項１３に記載の機構。
【発明の詳細な説明】
【技術分野】
【０００１】
本発明は、駆動機構に係り、詳しくは、駆動部材がそれによって往復運動して、容器の内容物の排出を行う機構に関する。
【背景技術】
【０００２】
容器の内容物を排出するためにプランジャが往復動的に駆動可能である様々な機構が利用可能であるが、そのような機構は、通例、動力駆動されていて、排出において大きな力を必要とするときでさえも排出を行うに足る十分な力を提供することが可能である。しかしながら、プランジャを手動で駆動することが必要になるときに、これを達成することは、必要とされる排出力が大きい場合には困難となる。
【発明の開示】
【発明が解決しようとする課題】
【０００３】
本発明の目的は、手動操作可能であり、かつ必要な目的のために十分な排出力を提供し得る駆動機構を提供することにある。
【課題を解決するための手段】
【０００４】
本発明に拠れば、駆動機構は、回転部材が第１ギアホイールを担持し、被動ギアホイールが第１ギアホイールと噛み合い、第１ギアホイールおよび被動ギアホイールが高いギア比を有し、それによって、被動ギアホイールが第１ギアホイールよりもゆっくりと回転し、カムが被動ギアホイールと共に回転するように取付けられ、カムフォロワが、カムと係合し、かつカムの回転によって往復運動可能であり、カムフォロワが製品の容器と係合して容器から製品を押し出すために共に運動可能に配置されるプランジャを備えることを特徴とする、駆動機構である。
【０００５】
好ましくは、第１ギアホイールは、手動操作される取手によって回転可能であるが、例えば電気モータによって動力駆動されても良い。
【０００６】
便宜的に、バネ手段がカムフォロワをカムと係合するように付勢するために設けられ、カムが１方向におけるプランジャの操作運動の間はバネ手段のバイアスを克服するように機能し、バネ手段がプランジャの復帰運動の間はカムフォロワを反対方向に付勢する。
【０００７】
カムは、カム上の回転軸からの間隔を周方向において徐々に増大させる少なくとも１つのカム面を包含しても良い。
【０００８】
カム軸の周りに対称的に準備される２つのカム面が設けられても良く、回転軸に最も近く位置するカム面の２つのカム位置と、回転軸から最も遠く位置する２つのカム位置とが存在する。最も近いカム位置および最も遠いカム位置は、互いに隣接して位置し、最も近いカム位置および最も遠いカム位置は、復帰プランジャ位置および作動プランジャ位置のそれぞれに対応する。
【０００９】
代替的には、ギアホイールの軸の周りで３６０°にわたって延在する１つの面が存在する。
【００１０】
カムフォロワは、外側方向に向いたカム面と係合するローラを包含する。このローラは、ガス・バネによってカムと係合するように付勢されても良い。
【００１１】
便宜的には、容器は、排出位置におけるプランジャの運動と位置合わせして選択的に配置可能であり、それによって、その機能的な運動においてプランジャと係合されることになり、容器は、排出の後、排出しない取換え位置に移動可能である。
【００１２】
便宜的には、排出位置と取換え位置の間における容器の運動は、摺動運動であり、容器は、容器を受入れるべく成形されるフレーム上に支持される。容器は、ピボット旋回可能なサポート上に担持されても良い。
【００１３】
容器は、容器からの製品の排出のために容器のものより断面が小さい出口を包含しても良く、容器は、容器の容積を減少させて、製品が前記出口から押し出されるべく、プランジャによって係合され、変形され、或いは移動されるように準備される部分を有する。その部分は、反転によって或いは当然ながら管状容器の内部におけるピストンによって変形可能であっても良い。
【００１４】
本発明の更なる特徴は、具体例として提示された発明の実施例に関する後続の説明から、以下のような図面を参照して明らかになるであろう。
【発明を実施するための最良の形態】
【００１５】
図１は第１の充填位置における製品を分配する駆動機構を示す概略的な垂直方向断面図である。
図２は第２の分配準備位置における図１に対応する図面である。
図３は第３の分配位置における図１および図２に対応する図面である。
図４は容器位置の構成に関する拡大断面図である。
図５はある位置における製品を分配する代替的な駆動機構の側断面図である。
図６は他の位置における図５に対応する図面である。
図７は更に他の位置における図５および図６に対応する図面である。
図８は図５から図７の装置に関する取付け構成を側面図で示している。
図９は代替的な取付け構成を示している。
図１０および図１１は更にもう１つの取付け構成を示している。
図１２は図１０および図１１の構成に対応する組立体の斜視図を示している。
図１３は修正した駆動機構の一部に関する側面図である。
図１４は図１３の構成に関する立体分解図である。
【実施例１】
【００１６】
図面を参照し、先ず初めに図１から図４を参照すると、押し出し操作によって半固体製品を容器から排出するために適した駆動機構が示されている。図示の構成において、容器１０は周知の形態のものであり、アイスクリームのような半固体食品を分配するためのものである。それは、出口１２がその中に形成されるベース部分１１と、ベース部分１１上に配置されて、中央の変形可能部分１４を有するクロージャ部材１３とによって構成され、変形可能部分は、ベース部分に対して下向きに変形され得るものであり、容器の内側容積を減少させ、容器内の製品が出口１２から押し出されるようにする。
【００１７】
容器１０は、断面が略円形であり、クロージャ１３は、その上側縁の周りがベース上に配置可能であり、充填の後および移動の間は容器内容物を密封する。容器は、円形の代わりに角が丸くなった長方形のようなその他の曲線的形状を有していても良い。
【００１８】
容器出口１３は、それを介して押し出される製品を成形するように成形されるものであり、通例、容器からの製品の排出が行われるときを除き出口を覆って配置される図示略のシール材を包含する。出口は、ＰＣＴ／ＧＢ０２／０３３４０号で説明された形態のものであっても良い。
【００１９】
容器の変形可能部分１４は、ベースの内側表面と接触するように下向きに変形し、結果として容器を空にする。
【００２０】
容器は、図２、図３および図４の分配位置と、図１の非機能的な再充填位置との間で運動可能である摺動サポート部材１６の中に配置可能である。
【００２１】
容器サポート１６は、容器１０のベース１１を支持し、サポートは、容器内の開口部１２と一致する開口部を有し、結果として、製品がサポート内の開口部を介して下向きに排出され得ることになる。
【００２２】
サポート１６は、長手方向側面部材１７を包含し、側面部材は、ガイド１８の中に摺動自在に取付けられ、サポートが排出位置（図２および図３）と取換え位置（図１）の間で水平方向に移動可能にする。サポート１６は、フレーム２０の下側端部に配置され、フレームの中には主要駆動機構が配置される。
【００２３】
サポート１６は、容器のための台座１６Ａとガイド１８の中に係合するサポートの側方延在部分１７とを形成し、そこにはガイドの下向き延在部分１８Ａが存在していて、下向き延在部分が、容器の上側エッジと係合し、容器を台座の中に固定して、クロージャを容器のベース上に保持する。
【００２４】
駆動機構は、レバーアーム２２上に取付けられる回転自在の取手２１を包含し、続いて、レバーアームは、フレーム２０上に軸支されている。
【００２５】
取手２１およびカム２２は、機構のフレーム上に取付けられるサポートの周りで３６０°にわたって回転可能である。一端において取手２１を備えるアーム２２は、他端において第１ギアホイール２３を備え、ギアホイール２３は、比較的小さな直径のものであり、その周縁部の周りにおいて複数の歯を備える。
【００２６】
第１ギアホイール２３と噛み合い係合するものは、第１ギアホイール２３より遥かに大きな直径の被動ギアホイール２５であり、シャフト２６上の回転軸Ａの周りにおいてハウジング２０の中で回転するように取付けられる。
【００２７】
更にシャフト２６上に取付けられるものは、図示のカム形状を有するカム２７である。対称的形状の２つのカム面２８および２９は、回転軸Ａの周りに配置されるものであり、各々のカム面２８、２９は、回転軸から比較的小さい間隔から始まり、それらの面の間隔が周方向において増大していることが理解されるであろう。
【００２８】
カム面２８、２９は、カム回転軸Ａから徐々に増大する間隔を有し、一方のカム面の前記軸からの最大間隔部分は、他方のカム面の回転軸からの最小間隔部分に隣接して位置する。これらのカム面は、それぞれが回旋状の形態を有するものであるといえる。カム面２８、２９と係合するものは、ローラ３２を有するカムフォロワ３１であり、ローラは、カム２７が方向Ｘに回転されるときカム面に接触する。ローラ３２は、上向き方向においてカム面２８、２９と係合するように付勢され、これを達成するためにバネ３３が存在している。
【００２９】
カム２７の回転は、カムフォロワ３１をカムの回転軸Ａから離れるように移動させ、この運動は、フォロワをカム面２８、２９と係合するように付勢するバネ３３の作用に対抗する。
【００３０】
カムフォロワ３１は、ローラ３２の反対側におけるその端部においてプランジャヘッド３５を包含し、プランジャヘッドは、カム２７の回転によって図２の下向きの排出方向において排出位置に移動される。図３の完全排出位置に到達した後、プランジャヘッドは、バネの作用と図４のカム軸に最も近い位置に向かって移動するカムフォロワとによるプランジャ復帰運動によって上向きに移動する。
【００３１】
これらの構成がプランジャヘッド３５を略垂直方向において上下に往復運動させる手段を提供するので、サポート１６上の製品の容器１０が、プランジャと係合可能になるということが理解されるであろう。カムの回転は、プランジャを下向きに移動させ、容器を変形させて、製品を容器出口から押し出すのである。
【００３２】
図３では、プランジャが容器排出作業を完了させていて、カムフォロワ３１がバネ３３によって所定の位置に付勢されようとしているところであり、その所定の位置では、バネが完全に延展され、カムローラ３２は、面２８または２９上のカム２７の回転軸Ａに最も近い位置に配置される。その後、空の容器は、排出位置から退去され、空の容器を取り除いて、図１のサポートの中に新たな容器を配置する。その後、サポート１６上の新たな容器は、プランジャヘッド３５の下に戻るように摺動されて、更なる排出作業が行われる。
【００３３】
プランジャヘッド３５は、排出されることになる容器１０の形状を考慮して成形され、フォロワ３１は、ヘッド３５が取付けられるシャフトとして機能する。シャフト３１は、サポート４０とバネ３３が内部に配置された円筒管３８とを貫通して延在し、バネの上側端部と係合されるカラー３９を備える。カラー３９の運動、そして、結果的にはシャフト３１の上向き方向の運動もまた、管３８の上側端部によって制約を受ける。
【００３４】
ピボット式ラッチ４１は、カム２７の外側エッジと係合して、カムが間違った方向に回転することを防止するように設けられる。それに加えて、カムの回転は、容器の排出が完了していることをユーザーに知らせる音声信号を起動させるようにすることもできる。
【００３５】
ここで、図５から図１２を参照すれば、先行の図面で示されたものに対する代替的な駆動機構と、駆動機構が採用され得る組立体とが示されている。
【００３６】
同様な部品は、両者の実施例では同じ参照番号を有する。
【００３７】
プランジャ３５を往復運動させて製品容器の内容物を排出させる駆動機構は、先行の実施例と同じ目的のためのものとして意図される。
【００３８】
先行の実施例と同様に、プランジャ３５のカムによる操作機構が設けられている。この場合、取手２１は、その中心軸の周りにおいて回転自在であるディスク部材２２Ａ上に配置される。ディスク部材２２Ａと共に回転自在であるものは、ギアホイール２３であり、このギアホイールは、軸Ａの周りにおいて回転自在であるより大きなギアホイール２５と噛み合うように設けられる。ギアホイール２５は、カム部材２７Ａをそれと共に回転させるように備え、カム部材は、軸Ａの周りで３６０°にわたって延在する単一カム面２８Ａを形成する。カム面２８Ａは、軸Ａからのカム面２８Ａの間隔が周方向において徐々に増大し、半径方向の最も内側の部分２８Ｂを有し、２８Ｃは軸からの最大間隔の部分である。
【００３９】
カム面２８Ａは回旋状の面を有するものとして示されているが、カム面の形状は、周方向において変更され得るものであり、容器から内容物を排出するために必要とされる圧力に応じてプランジャ３５に対して異なった運動を付与する。場合によっては、容器から製品を排出するために必要とされる圧力は、排出サイクルの全体にわたって変化する。カムフォロワ３２は、プランジャヘッド３５の反対側の端部に取付けられ、フォロワ３２とヘッド３５の中間にはシャフト３１が位置する。
【００４０】
フォロワ３２は、５１においてピボット旋回されるレバー５０の端部に取付けられ、フォロワ３２から離れたレバー５０の端部は、ガス・バネ５２に対してピボット旋回的に接続され、ガス・バネ５２の他端は、ケーシング２０に固定される。ガス・バネ５２は、フォロワをカム面２８と係合するように付勢すべく設けられるが、カムフォロワ３２がカム面２８Ｃの部分を越えてカム面２８Ｂの部分まで前進するとき、ガス・バネは、フォロワ３２を半径方向内側に向かって付勢する際に、そのような運動が制御されて急激な運動にならないようにする。
【００４１】
ディスク２２Ａが図５で観察されるように取手２１によって時計回り方向に回転されるとき、プランジャヘッド３５は、排出されることになる容器と係合するように往復運動させられるということが理解されるであろう。歯車装置２３および２５の機械的な利点の故に、容器の内容物を排出するために必要とされる労力は、オペレータの手動操作能力の範囲内である。
【００４２】
容器は、容器の下面の形状に応じて成形され、排出がそれを介して達成される容器内の開口部と一致する中央開口部を有するようにした台座１６の中に配置される。台座１６は、機能的排出位置（図５）、解放位置（図７）および再充填位置（図６）の間において軸５６の周りでピボット旋回されるピボット式アーム５５上に形成される。図５の機能的位置では、アーム５５は、ラッチ機構５７を使用して適所に留められ、ラッチ機構は、図５の位置と図７の位置の間でピボット旋回可能である。図５の位置に留められる際、アーム５５の外側端部は、ラッチ５７の傾斜端部５８と係合し、傾斜端部は、バネ手段の抑制に対抗してラッチをピボット旋回させ、アームの端部をラッチ溝６０の中に入れる。ラッチ５７は、手動係合可能な部分６１を有し、その部分は、オペレータによって押し込まれることが可能であり、容器の排出が行われた後、ラッチ５７を逆時計回り方向にピボット旋回させて、溝５８からアーム５５を解放する。
【００４３】
フレーム部材６３は、台座１６および付随のアーム５５をハウジング２０に対して支持し、プランジャ３５の操作の間に橋台として機能することが可能である剛性フレームを提供する。
【００４４】
駆動機構の操作シーケンスは、アーム５５が図６で示された位置にあるときに容器を台座１６の中に配置することを包含する。続いて、アーム５５が手動で適所に持ち上げられ、アームの外側端部は、溝６０の中に留められ、排出作業のための適所にアームを剛的に固定する。
【００４５】
容器の排出は、取手２１を使用して、カム２７Ａを時計回り方向に回転させる方向にディスク２２Ａを回転させることによって行うことが可能である。排出作業の開始の際、フォロワ３２は、プランジャを完全に引っ込めて、カム面２８Ｂ上に配置される。回転の間、プランジャは、フォロワ３２とカム面２８Ａの間の係合によって台座１６に向かって下向きに移動される。プランジャ３５の完全な延展および容器の内容物の完全な排出は、フォロワ３２がカム面部分２８Ｃと係合されるときに達成される。そして、プランジャ３５は、容器のベースに当接するまで押し込まれ、内容物が完全に排出されることを保証する。しかしながら、所望されるならば、容器は排出サイクルの任意の段階において部分的にのみ排出されても良く、その容器は別個の時点で完全に空にされる。好ましくは、容器は半分だけ空にされ、半分空になった容器が、必要に応じて、貯蔵キャビネットの中に再配置される。
【００４６】
容器を完全に排出させると、ディスク２２Ａの継続的な回転は、フォロワ３２が面２８Ｃから面２８Ｂに移動するときにプランジャ３５をガス・バネ５２の抑制下において復帰方向に移動させ、その運動が滑らかであることを保証する。その後、アーム５５は、ラッチ５７の押下げによって解放されることが可能であり、アームが下向きに移動し、容器がアームから解放され、新たな容器は、台座１６上に配置され、図６で示された位置におけるアーム５５と共に位置につく。代替的には、アーム５５が自動的に解放され、当該機構の上向き運動がラッチ５７を解放するように機能する。
【００４７】
アーム５５は、好ましくは、容易に取外し可能であるように準備され、アームおよび付随の台座１６は、機械から外されたとき容易に洗浄されることが可能である。更には、異なったアームが、異なったサイズの容器のための異なったサイズの台座１６を有して配置されても良い。
【００４８】
場合によっては、容器は、例えば１６５ｍｍの比較的小さな容量を有するが、例えば３００ｍｍの大きな容量の容器がより適している状況もあり得るが、これは、大きな容器を収容するアームを備えることによって簡単に達成される。場合によっては、プランジャヘッド３５は、大きな容器を使用する場合と同じ寸法のものであっても良いが、その他の状況では、ヘッド３５は、異なったサイズの容器に適応するために異なったサイズのヘッドに取り替えることが適当であろう。
【００４９】
代替例として、異なったサイズの容器を収容するために、当該装置は、容器の各サイズのためのものとして、２つの分配ヘッド３５と２つの別個の容器位置とを有しても良い。そのような構成もまた、伝動装置の共通要素と上述のカム構成とを保持することが可能である。代替的に、駆動機構は、ハウジングの対向する側面上に取付けられる各々のプランジャヘッドおよび付随の台座に対して設けられても良く、２つの駆動装置が各々のヘッドのためのものとして存在する。そのような構成では、取手２１が左側および右側に設けられる。
【００５０】
上述のように、図５から図７の実施例は、駆動装置が一定の回転速度で利用されるように配置されているものであり、これは、プランジャ３５の相対的位置を考慮に入れているものではなく、多かれ少なかれ分配の力が様々な位置において必要とされるであろう。大抵の場合は、分配のために必要とされるエネルギーは、分配作業の過程において変化することになる。そのような様々な力のレベルに適応させるために、カムの形状は、駆動取手が一定の速度で移動されるとしても首尾一貫した力が製品を分配すべく適用されるようにして変更される。そのような構成は、容器の形状や前述の作業過程による容器の容積の減少に関わらず、また、ピストン及びシリンダが他の形態のものであろうとも適用可能である。
【００５１】
更に詳しくは、図８から図１２を参照すると、分配のための駆動機構が付随の機器または取付け装置に対して配置され得る様々な様式が示されている。
【００５２】
図８の構成のものは、当該装置は、当該装置によって分配される容器に入った製品を収容する冷凍キャビネットすなわちフリーザ・キャビネット７０の正面に取付けられている。この場合、キャビネット７０は、その正面側においてドア７１を有し、ドアは、キャビネットの上側部分に接して製品の容器を導入すべく、垂直方向の軸の周りにおいて開放可能である。更に、キャビネットは、下側ドア・アクセス７２をも有し、このドア・アクセスは、キャビネット７０から取り出されて分配のために当該装置の中に配置されることになる容器に接するように、下側水平方向軸７３の周りにおいてヒンジ回転される。
【００５３】
当該装置は、ドア７１に接して取付けられ、当該装置に対して固定される後部プレート７４を装備され、ドア７１に対してプレート７４を固定する手段をも有する。このプレート７４は、Ｌ字型ブラケットの形態であっても良く、それは、当該装置の後部に上向きに延在しかつその頂部を覆うように延在する。キャビネット７０は、その上側側面において制御パネル７５を有する。
【００５４】
代替的には、当該装置は、キャビネットの頂部における取付け装置によって支持される貯蔵キャビネットの側壁上に取付けられる。キャビネットは、米国特許第５，７４９，２４０号で説明されたような種類のものであっても良い。
【００５５】
ここで、図９を参照すると、図８のものに類似したプレート７４Ａが当該装置の後部側面に取付けられ、プレート７４Ａを貫通して壁の中まで延在する固定手段７７によって壁Ｗに固定されるようにした壁取付け式装置が示されている。ここでもまた、プレート７４Ａは、当該装置の後部に上向きに延在しかつその頂部側面を覆って延在するＬ字型プレートであっても良い。
【００５６】
ここで、図１０および図１１を参照すると、頂部から取付けられ得る当該装置のサポートが示されている。このものは、当該装置の頂部は、プレート８１を受入れる締り嵌めとして成形されるスロット８０を備えて形成され、プレート８１は、固定ネジ８２によってスロット８０の中に保持される。
【００５７】
プレート８１は、垂直方向部分８３Ａと、湾曲部分８３Ｂと、下向き部分８３Ｃとを有する管８３に対して剛的に固定され、下向き部分の下側端部がプレート８１に対して固定される。この構成に拠れば、管８３は、任意の便宜的な様式で取付けられることが可能であり、当該装置は、例えば、空間を節約して冷凍ユニットの上に配置されることも可能である。
【００５８】
図１１の構成では、管８３の下側端部は、ブラケット８４の中に取付けられ、ブラケットは、当該装置を所定の表面上に支持し、或いはその他の様式で所定の取付け装置に対して固定される。
【００５９】
分配装置は、取換えの目的のために或いは修理を行うためにサポートから容易に取外し可能なものである。
【００６０】
更なる代替例として、分配装置は、天井または壁からのサポート上に懸架されることも可能である。何れの場合も、電源および当該装置に対するその他の供給源は、そのような供給源が必要とされるならば、取付け装置を介して導入されることが可能である。
【００６１】
図１２は、分配装置と、サポート管８３と、冷凍容器８５を配置するための床面取付け式キャビネットとから成る組立体を示している。
【００６２】
上述の分配装置の代わりに、同様な取付け構成が、その他の分配装置のために採用されることも可能である。何れの場合も、ハウジングは、当該装置をそのサポート上に取外し可能に支持して、懸架式の壁取付け装置に対するサポートを配置するための手段を装備される。
【００６３】
ここで、図１３および図１４を参照すると、前述の実施例の何れに対しても適用可能である駆動装置の構成が示されている。標準的使用において取手を回転させるために適用される力は、誰もが取手を操作することが可能であるように設けられている。図示された構成は、操作の間にプランジャ３５に対して適用され得る有効な力を限定するためのものである。しかしながら、オペレータが取手２１およびギアホイール２５を回転させているときには所定の限定事項が必要とされ得るのであり、例えば、容器１０内の製品が押し出されるためには硬過ぎるとき、プランジャ３５の運動には過大な抵抗が存在する。これらの状況においてプランジャに過剰な力を掛けることは、アーム５５および/または容器１０、或いはギアホイールに対して損傷をもたらす可能性がある。
【００６４】
図１３および図１４の構成は、ギアホイール２５とカム部材２８の間に駆動力を伝えるクラッチ機構９０を採用している。機構９０は、ギアホイール２５上に取付けられるが好ましくはそれと共に一体的である構成要素９１を包含する。当該機構は、カム部材２８上に一体に取り付けられたクラッチ構成要素９２を包含し、それらの様々な構成要素は、一体的に成形されるプラスチックであっても良い。
【００６５】
構成要素９１および９２は、標準操作の間は相互に噛み合って一緒に回転するが、伝達されることになるトルクが所定の量を超過するときには、互いに回転可能なように設けられる。
【００６６】
カム部材２８は、ギアホイール２５に対して軸方向に運動可能に取付けられ、バネ９３によってギアホイール２５に向かって付勢され、バネは、部材２８と共にシャフト２６上を運動可能であるカラー９４と、固定手段９６によってシャフト２６に対して固定されるカップ部材９５との間に延在する。
【００６７】
構成要素９１および９２は、相互に噛み合って、相互に傾斜した面を有する一連の相互噛み合い歯９１Ａおよび９２Ａによって互いに回転するように配置されるものであり、伝達されることになるトルクが所定の量を超過したならば、それらの歯が互いの上に乗り上げて、カム部材は、バネ９３のバイアスに対抗してギアホイール２５から離れて軸方向に移動し、結果として、そのような更なるトルクが伝達されることを防止する。
【００６８】
このような状態が発生したならば、オペレータは、トルクが過剰になった理由をチェックし、容器をより軟らかな内容物を有するものに変更して、必要とされる如何なるその他の操作をも実行しなければならない。
【００６９】
上述の駆動装置は、オペレータの左手または右手の何れかによって使用されるべく利き手処理されても良い。カム部材２８は、図１３および図１４で示されたように両側に歯９２を有し、逆転可能である。
【００７０】
ベル装置が、分配作業の完了を知らせるために採用されることもまた可能である。
【００７１】
これは、従来の自転車用ベルによって構成され得るものであり、その鳴子は、分配の間ゆっくり動いているときには、ベル部分に衝突しない。しかしながら、高いカム輪郭から低いカム輪郭への急激な運動において、鳴子は、急激な運動の間中、ベルを鳴らすのである。
【００７２】
当該装置は、アイスクリームおよびその他のデザートを分配するための分配装置に適したものとして構想されているが、それは、ミルクシェークの材料のようなその他の食品を分配するために使用されることもまた可能である。この場合は、容器にはミルクシェークの材料が入れられることになり、その後、それがミルクシェークの容器の中に分配される。続いて、容器は、水またはその他の添加物が導入された後にクロージャが取付けられる。その後、撹拌が行われ、ミルクシェークが製造される。
【００７３】
撹拌要素は、クロージャまたは容器の中に収容されて、撹拌が同じ器の中において完了され、製品が撹拌の後にその器から消費され得るようにしたものであっても良い。この構成では、撹拌要素は、クロージャの上または容器の器の中に収容され、撹拌要素は、独立した駆動装置によって操作される。そのような撹拌装置は、上述の分配装置に隣接して配置されることも可能である。同様にして、容器およびそれらのクロージャは、当該装置の上またはそれに隣接して取付けられる貯蔵装置の中に貯蔵されることもまた可能である。
【００７４】
水が追加される場合には、水の温度は、ミルクシェーク製品に関して意図されている温度に適合されることが可能である。同様にして、発泡剤のような補助的な製品が、撹拌操作に先行して追加されることもまた可能である。
【００７５】
水のような任意の添加物は、初めは周囲温度であることが可能であり、使用に先立って冷却コイルまたは冷却タンクのような熱交換器によって冷却されることも可能である。
【００７６】
カム面と係合するローラがカムに設けられるようにしたカムおよびカムフォロワの構成を示して説明したが、それに代えて、フォロワがカム面の間に配置されるようにした係留式カムフォロワの構成が設けられることも可能であり、この場合は、排出作業の完了の後にプランジャが引っ込められることになるので、バネは必要としないであろうことが認識されるであろう。
【産業上の利用可能性】
【００７７】
説明された本発明は、ＷＯ９４／１３１５４号（ＰＣＴ／ＧＢ９３／０２５７２号）で説明されたような分配機において特定の有用性を見出し得るものである。
【図面の簡単な説明】
【００７８】
【図１】図１は第１の充填位置における製品を分配する駆動機構を示す概略的な垂直方向断面図である。
【図２】図２は第２の分配準備位置における図１に対応する図面である。
【図３】図３は第３の分配位置における図１および図２に対応する図面である。
【図４】図４は容器位置の構成に関する拡大断面図である。
【図５】図５はある位置における製品を分配する代替的な駆動機構の側断面図である。
【図６】図６は他の位置における図５に対応する図面である。
【図７】図７は更に他の位置における図５および図６に対応する図面である。
【図８】図８は図５から図７の装置に関する取付け構成を側面図で示している。
【図９】図９は代替的な取付け構成を示している。
【図１０】図１０は更にもう１つの取付け構成を示している。
【図１１】図１１は更にもう１つの取付け構成を示している。
【図１２】図１２は図１０および図１１の構成に対応する組立体の斜視図を示している。
【図１３】図１３は修正した駆動機構の一部に関する側面図である。
【図１４】図１４は図１３の構成に関する立体分解図である。
【図１】
2005533977.tif 000003
【図２】
2005533977.tif 000004
【図３】
2005533977.tif 000005
【図４】
2005533977.tif 000006
【図５】
2005533977.tif 000007
【図６】
2005533977.tif 000008
【図７】
2005533977.tif 000009
【図８】
2005533977.tif 000010
【図９】
2005533977.tif 000011
【図１０】
2005533977.tif 000012
【図１１】
2005533977.tif 000013
【図１２】
2005533977.tif 000014
【図１３】
2005533977.tif 000015
【図１４】
2005533977.tif 000016
【国際調査報告】
2005533977.tif 000017
2005533977.tif 000018
2005533977.tif 000019
2005533977.tif 000020